(57)【特許請求の範囲】
【請求項１】
裏面に粘着剤層が積層された第１基材と、前記第１基材の表面に剥離可能に積層された第２基材と、を有し、
前記第２基材が、前記第１基材の横方向第１側の縁部、及び、第１基材の横方向反対側である第２側の縁部にまで延在されており、
前記第１基材の横方向に対する４５度方向第１側の縁部、第１基材の前記４５度方向反対側である第２側の縁部、第１基材の横方向に対する１３５度方向第１側の縁部、及び、第１基材の前記１３５度方向反対側である第２側の縁部において、第２基材が積層されていない、キャンペーンラベル。
【請求項２】
前記第２基材が、さらに、前記第１基材の縦方向第１側の縁部、及び、第１基材の縦方向反対側である第２側の縁部の少なくとも何れか一方の縁部にまで延在されている、請求項１に記載のキャンペーンラベル。
【請求項３】
請求項１または２に記載のキャンペーンラベルと、離型面を有する帯状のセパレーターと、を有し、
前記第１基材の横方向を前記セパレーターの長手方向として、前記セパレーターの離型面に前記キャンペーンラベルの第１基材の裏面が剥離可能に貼付されている、ラベル連続体。
【発明の詳細な説明】
【技術分野】
【０００１】
本発明は、飲料容器などに貼付され、くじや景品等の応募券などとして使用されるキャンペーンラベルなどに関する。
【背景技術】
【０００２】
従来、飲料容器、食品容器などの各種の容器に、商品の販売促進のため、くじや景品等の応募券などとして使用されるキャンペーンラベルが利用されている。
代表的には、１層構造のキャンペーンラベルと２層構造のキャンペーンラベルが知られている。
１層構造のキャンペーンラベルは、例えば、円形状や矩形状に形成されたラベル基材に、その表面から視認できないように籤や景品応募券などに関するキャンペーン表示が施され、前記ラベル基材の裏面側に、被着体に貼付するための粘着剤層が設けられている。
２層構造のキャンペーンラベルは、第１ラベル基材の表面に第２ラベル基材が剥離可能に積層され、その第１ラベル基材又は第２ラベル基材に、第２ラベル基材の表面から視認できないようにキャンペーン表示が施され、前記第１ラベル基材の裏面側に、被着体に貼付するための粘着剤層が設けられている（例えば、特許文献１）。かかる２層構造のキャンペーンラベルは、第１ラベル基材と同形同大の第２ラベル基材が、第１ラベル基材の表面に剥離可能に接着されている。
【０００３】
しかしながら、前記２層構造のキャンペーンラベルは、２枚のラベル基材の積層体からなるので、剛性が大きく（柔軟性が小さく）、被着体に貼り付けた後、その縁部が経時的に被着体から浮き上がるおそれがある。特に、被着体の被着面が凹凸状である場合には、貼付後にキャンペーンラベルの縁部が浮き上がり易い。
この点、比較的厚みの小さいラベル基材を用いることによって、キャンペーンラベルの剛性を低くできる。しかしながら、剛性の小さいキャンペーンラベルは、セパレーターから剥離し難く、また、キャンペーンラベルを被着体に貼り付ける際にラベルの縁部に皺が生じるおそれがある。
【先行技術文献】
【特許文献】
【０００４】
【特許文献１】特開２００６−０５８７６７号公報
【発明の概要】
【発明が解決しようとする課題】
【０００５】
本発明の目的は、綺麗に被着体に貼り付けることができ、被着体に貼り付けた後に縁部が浮き上がり難いキャンペーンラベル及びラベル連続体を提供することである。
【課題を解決するための手段】
【０００６】
本発明のキャンペーンラベルは、裏面に粘着剤層が積層された第１基材と、前記第１基材の表面に剥離可能に積層された第２基材と、を有し、前記第２基材が、前記第１基材の横方向第１側の縁部、及び、第１基材の横方向反対側である第２側の縁部にまで延在されており、前記第１基材の横方向に対する４５度方向第１側の縁部、第１基材の前記４５度方向反対側である第２側の縁部、第１基材の横方向に対する１３５度方向第１側の縁部、及び、第１基材の前記１３５度方向反対側である第２側の縁部において、第２基材が積層されていない。
【０００７】
本発明の好ましいキャンペーンラベルは、前記第２基材が、さらに、前記第１基材の縦方向第１側の縁部、及び、第１基材の縦方向反対側である第２側の縁部の少なくとも何れか一方の縁部にまで延在されている。
【０００８】
本発明の別の局面によれば、ラベル連続体を提供する。
このラベル連続体は、上記キャンペーンラベルと、離型面を有する帯状のセパレーターと、を有し、前記第１基材の横方向を前記セパレーターの長手方向として、前記セパレーターの離型面に前記キャンペーンラベルの第１基材の裏面が剥離可能に貼付されている。
【発明の効果】
【０００９】
本発明のキャンペーンラベルは、被着体に貼り付けた後に縁部が浮き上がり難く、長期間安定的に被着体に貼り付けられた状態を維持できる。
また、本発明のキャンペーンラベルは、セパレーターから容易に剥がすことができ、剥がした後には、被着体に綺麗に貼り付けることができる。
【図面の簡単な説明】
【００１０】
【図１】第１実施形態に係るキャンペーンラベルを表面側から見た平面図。仮想直線を一点鎖線で示している。
【図２】同キャンペーンラベルを裏面側から見た平面図。
【図３】図１のＩＩＩ−ＩＩＩ線断面図。
【図４】図１のＩＶ−ＩＶ線断面図。
【図５】図１のＶ−Ｖ線断面図。
【図６】図１のＶＩ−ＶＩ線断面図。
【図７】第１実施形態に係るラベル連続体の側面図。
【図８】同ラベル連続体を表面側から見た平面図。
【図９】ラベル連続体の製造工程を示す図であって、（ａ）は、セパレーター上に第１基材原反及び第２基材原反を積層した帯状積層体の側面図、（ｂ）は、その帯状積層体に第１切込み線を形成した後の平面図、（ｃ）は、その帯状積層体から第２基材原反の一部を除去する際の側面図を示す。
【図１０】ラベル連続体の製造工程を示す図であって、（ａ）は、帯状積層体の第１基材原反に第２切込み線を形成した後の平面図、（ｂ）は、その帯状積層体から第１基材原反の一部を除去する際の側面図を示す。
【図１１】ラベル連続体からキャンペーンラベルを剥離する工程を示す斜視図。
【図１２】キャンペーンラベルが貼付された容器の正面図。
【図１３】同容器を上側から見た上面図。
【図１４】第２実施形態に係るキャンペーンラベルを表面側から見た平面図。
【図１５】図１４のＸＶ−ＸＶ線断面図。
【発明を実施するための形態】
【００１１】
以下、本発明について、図面を参照しつつ説明する。
本明細書において、横方向は、ラベルの面内の１つの方向を指し、縦方向は、前記面内において前記横方向と直交する方向を指し、横方向に対する４５度方向は、前記面内において前記横方向と４５度に交わる方向を指し、横方向に対する１３５度方向は、前記面内において前記横方向と１３５度に交わる方向（換言すると、前記４５度方向と直交する方向）を指す。また、平面視は、表面に対して鉛直方向から対象物を見ることをいう。「ＰＰＰ〜ＱＱＱ］という記載は、「ＰＰＰ以上ＱＱＱ以下」を意味する。
各図における構成要素の寸法などは、実際のものと異なっていることに留意されたい。
【００１２】
［第１実施形態］
＜キャンペーンラベル＞
図１乃至図６において、本発明のキャンペーンラベルＡは、第１基材１と、第１基材１の表面に剥離可能に積層された第２基材２と、を有する。
第２基材２は、第１基材１の表面全体に積層されておらず、第１基材１の周囲の縁部において、第２基材２が積層された部分と第２基材２が積層されていない部分とが存在する。
キャンペーンラベルＡは、第２基材２が第１基材１に積層された部分において、２枚の基材からなる２層構造を有し、第２基材２が積層されていない縁部において、１枚の基材（第１基材１）からなる１層構造を有する。
以下、第１基材１の表面に第２基材２が積層され且つ２枚の基材からなる部分を「２層部分」といい、第１基材１の表面に第２基材２が積層されておらず且つ１枚の基材からなる部分を「１層部分」という場合がある。
【００１３】
第１基材１及び第２基材２は、それぞれ柔軟なシート材（シート材は、一般にフィルムと呼ばれるものも含む）から形成されている。
第１基材１及び第２基材２の材質は特に限定されず、それぞれ独立して、例えば、普通紙、コート紙などの紙；ポリエステル系合成紙、ポリオレフィン系合成紙などの合成紙；ポリエステル系フィルム、ポリオレフィン系フィルム、ポリスチレン系フィルムなどの合成樹脂フィルム；ポリエステル系発泡フィルムなどの発泡樹脂フィルム；などのシート材を用いることができる。また、第１基材１及び第２基材２は、それぞれ独立して、異種若しくは同種のシート材（例えば前記のような紙など）を積層接着して一体化した積層体を用いてもよい。第１基材１及び第２基材２は、互いに同種のシート材から形成されていてもよく、或いは、それぞれ異なるシート材から形成されていてもよい。例えば、第１基材１及び第２基材２のそれぞれが、ポリエチレンテレフタレートフィルムなどの合成樹脂フィルムから形成される。或いは、第１基材１が、ポリエチレンテレフタレートフィルムなどの合成樹脂フィルムから形成され、第２基材２が、ポリエチレンテレフタレート発泡樹脂などの発泡樹脂フィルム又はポリプロピレンなどの合成紙から形成される。
【００１４】
第１基材１及び第２基材２は、それぞれ独立して、透明なシート材又は不透明なシート材のいずれを用いてもよい。前記透明なシート材の全光線透過率は、例えば、７０％以上であり、好ましくは８０％以上であり、より好ましくは９０％以上である。前記全光線透過率は、ＪＩＳ  Ｋ  ７３６１（プラスチック−透明材料の全光線透過率の試験方法）に準拠した測定法によって測定される値をいう。第２基材２として透明なシート材を用いた場合には、後述するキャンペーン表示を第２基材２の表面側から視認できないように、そのキャンペーン表示を隠蔽する隠蔽層が第２基材２に設けられる。隠蔽層としては、代表的には、白色インキや銀色インキなどの隠蔽効果を有する印刷層が挙げられる。
なお、紙、発泡樹脂フィルム及び合成紙は、一般的に、不透明なシート材であるので、このようなシート材を第２基材２として用いる場合には、前記隠蔽層は必ずしも必要ではない。
【００１５】
第１基材１及び第２基材２の厚みは、特に限定されない。第１基材１と第２基材２は、その厚みが同じでもよく、いずれか一方が大きくてもよい。
１層部分の柔軟性が比較的大きく且つ２層部分の剛性が比較的大きくなることから、第１基材１の厚みは、第２基材２の厚みよりも小さいことが好ましい。この好ましい場合において、第１基材１の厚みと第２基材２の厚みの差の絶対値は、例えば、零を越え７０μｍ以下であり、好ましくは１０μｍ〜５０μｍであり、より好ましくは１５μｍ〜４０μｍである。また、第１基材１の厚みは、例えば、１０μｍ〜５０μｍであり、好ましくは１０μｍ〜３０μｍであり、より好ましくは１０μｍ〜２５μｍである。また、第２基材２の厚みは、例えば、２０μｍ〜１００μｍであり、好ましくは３０μｍ〜７０μｍであり、より好ましくは３５μｍ〜６０μｍである。
【００１６】
第１基材１及び第２基材２には、各種の表示が施されている。前記表示は、通常、印刷によって形成される。
前記表示としては、籤、景品応募券のような懸賞応募資格情報、特定のキャラクター表示などのキャンペーン表示が少なくとも含まれる。キャンペーン表示以外の表示としては、一般的にラベルに施されている慣用デザイン表示が挙げられる。慣用デザイン表示としては、商品に関する絵柄、商標、商品提供者情報などが挙げられる。なお、キャンペーン表示や慣用デザイン表示などの各種の表示及びこの表示を表した印刷層は、図示しない。また、必要に応じて、前記印刷層には、ニスなどを用いて保護層が形成されるが、この保護層も図示しない。
【００１７】
キャンペーン表示は、第１基材１及び第２基材２の少なくとも何れか一方に施される。第１基材１にキャンペーン表示が施される場合には、その表示は第１基材１の表面側から視認できるように、２層部分に対応する第１基材１に施される。例えば、第１基材１として透明なシート材を用いた場合には、その第１基材１の裏面又は表面にキャンペーン表示が印刷され、第１基材１として不透明なシート材を用いた場合には、その第１基材１の表面にキャンペーン表示が印刷される。第２基材２にキャンペーン表示が施される場合には、その表示は第２基材２の裏面側から視認できるように施される。例えば、第２基材２として不透明なシート材を用いた場合には、その第２基材２の裏面にキャンペーン表示が印刷され、第２基材２として透明なシート材を用いた場合には、その第２基材２の表面又は裏面にキャンペーン表示が印刷され且つその表示を隠蔽するように第２基材２に隠蔽層が設けられる。
【００１８】
前記第１基材１及び第２基材２の少なくとも何れか一方に施されたキャンペーン表示は、第２基材２（或いは、第２基材２が透明である場合には、隠蔽層）によって隠蔽され、第２基材２の表面側から視認できない。そして、第２基材２を第１基材１から剥離したときには、第１基材１の表面及び第２基材２の裏面からキャンペーン表示を視認できるようになる。
なお、前記慣用デザイン表示は、第１基材１及び第２基材２の何れか一方に施されていてもよく、双方に施されていてもよい。第１基材１に慣用デザイン表示が施される場合には、その表示は第１基材１の少なくとも表面側から視認できるように第１基材１に施される。第２基材２に慣用デザイン表示が施される場合には、その表示は第２基材２の表面側及び裏面側の少なくとも一方側から視認できるように第２基材２に施される。
【００１９】
第１基材１の平面視形状は、特に限定されず、例えば、平面視略円形状、略楕円形状などの全周に亘って曲線を有する形状；略矩形状、略三角形状、略六角形状などの略多角形状；これらを組み合わせた形状；などが挙げられる。矩形状は、長方形状や正方形状を含む。ここで、本明細書において、形状の「略」は、本発明の属する技術分野において許容される形状を意味する。例えば、略円形状及び略楕円形状の「略」は、円弧の一部が膨らむ又は窪んでいる形状、円弧の一部が僅かに直線又は斜線とされた形状などが含まれる。また、略矩形状、略三角形状、略六角形状などの略多角形状の「略」は、角部が面取りされている形状、辺の一部が僅かに膨らむ又は窪んでいる形状、辺が若干湾曲している形状などが含まれる。
【００２０】
第１基材１は、その横方向に対する４５度方向第１側の縁部Ｚ１、４５度方向反対側である第２側の縁部Ｚ２、その横方向に対する１３５度方向第１側の縁部Ｗ１、及び、１３５度方向反対側である第２側の縁部Ｗ２において面取りされており、好ましくはそれらの縁部Ｚ１，Ｚ２，Ｗ１，Ｗ２において曲線を有する形状に形成されており、より好ましくは平面視略円形状や略楕円形状などの全周に亘って曲線を有する形状に形成される。図示例では、第１基材１は、平面視略円形状に形成されている。
第１基材１の大きさは、特に限定されず、被着体に合わせて適宜設定できる。例えば、第１基材１は、６０ｍｍ２〜１３００ｍｍ２（平面視略円形状において、直径１０ｍｍ〜４０ｍｍ程度、好ましくは直径１５ｍｍ〜３０ｍｍ程度）の大きさに形成される。
【００２１】
第１基材１の裏面には、被着体に貼り付けるための粘着剤層３１が積層されている。以下、被着体に貼り付けるために第１基材１の裏面に設けられる粘着剤層を「第１粘着剤層３１」という。第１粘着剤層３１は、第１基材１の裏面に、感圧型粘着剤、感熱性粘着剤などの粘着剤を設けることによって形成される。前記感圧型粘着剤は、室温で粘着力を有し且つその粘着力が長期間持続している粘着剤であり、従来公知のタックラベルで広く使用されているものである。感熱型粘着剤は、室温で粘着性を示さず、加熱することにより粘着力を発揮し且つその粘着力が長期間持続する粘着剤である。粘着剤は、透明、半透明又は非透明の何れでもよい。
第１粘着剤層３１は、第１基材１の裏面全体に亘って設けられていればよく、例えば、図示のように粘着剤が面方向に連続して層を成している構成の他、第１基材１の裏面の粘着剤が無数の小さなドット状を成して密に点在されている構成でもよい。
第１基材１の裏面に上記各種の表示を表した印刷層が設けられる場合には、第１粘着剤層３１は、その印刷層の裏面に設けられる。換言すると、第１粘着剤層３１は、第１基材１の最裏面に設けられる。
第１粘着剤層３１の厚みは、特に限定されないが、例えば、１０μｍ〜３０μｍである。
【００２２】
一方、第１基材１の表面には、剥離層３３が積層されている。剥離層３３は、第１基材１の表面に、シリコーンなどの剥離剤を塗布することによって形成される。剥離層３３は、図示例のように、剥離剤が面方向に連続して層を成している構成が好ましい。なお、第１基材１の表面に、上記各種の表示を表した印刷層が設けられる場合には、剥離層３３は、印刷層の表面に設けられる。換言すると、剥離層３３は、第１基材１の最表面に設けられる。
剥離層３３の厚みは、特に限定されないが、例えば、１μｍ〜１０μｍである。
【００２３】
第２基材２は、第１基材１の表面に積層されている。第２基材２の平面視における大きさは、第１基材１の平面視における大きさよりも小さい。前記第２基材２は、第１基材１の表面全体に積層されているわけではなく、第１基材１の縁部において、１層部分と２層部分が第１基材１の平面視周方向において交互に存在する。
具体的には、第２基材２は、前記第１基材１の横方向第１側の縁部Ｘ１、及び、第１基材１の横方向反対側である第２側の縁部Ｘ２にまで延在されており、さらに、第１基材１の縦方向第１側の縁部Ｙ１、及び、第１基材１の縦方向反対側である第２側の縁部Ｙ２にまで延在されている。
【００２４】
他方、第２基材２は、前記第１基材１の横方向に対する４５度方向第１側の縁部Ｚ１、第１基材１の前記４５度方向反対側である第２側の縁部Ｚ２、第１基材１の横方向に対する１３５度方向第１側の縁部Ｗ１、及び、第１基材１の前記１３５度方向反対側である第２側の縁部Ｗ２において積層されていない。以下、横方向に対する４５度方向及び横方向に対する１３５度方向を、単に「４５度方向」及び「１３５度方向」という。
換言すると、第２基材２は、第１基材１の表面のうち、４５度方向第１側の縁部Ｚ１、４５度方向第２側の縁部Ｚ２、１３５度方向第１側の縁部Ｗ１及び１３５度方向第２側の縁部Ｗ２を除いて、積層されている。
【００２５】
ここで、前記横方向第１側の縁部Ｘ１は、図１に示すように、第１基材１の重心Ｏを通る１つの仮想直線（横方向の仮想直線）が交差する第１基材１の２つの縁ａ１，ａ２のうち、一方側の縁ａ１を含む部分であり、横方向第２側の縁部Ｘ２は、反対側の縁ａ２を含む部分である。
前記縦方向第１側の縁部Ｙ１は、第１基材１の重心Ｏを通り且つ前記横方向の仮想直線と直交するもう１つの仮想直線（縦方向の仮想直線）が交差する第１基材１の２つの縁ｂ１，ｂ２のうち、一方側の縁ｂ１を含む部分であり、縦方向第２側の縁部Ｙ２は、反対側の縁ｂ２を含む部分である。
【００２６】
前記４５度方向第１側の縁部Ｚ１は、第１基材１の重心Ｏを通り且つ前記横方向の仮想直線と４５度を成す他の１つの仮想直線（４５度方向の仮想直線）が交差する第１基材１の２つの縁ｃ１，ｃ２のうち、一方側の縁ｃ１を含む部分であり、４５度方向第２側の縁部Ｚ２は、反対側の縁ｃ２を含む部分である。
前記１３５度方向第１側の縁部Ｗ１は、第１基材１の重心Ｏを通り且つ前記横方向の仮想直線と１３５度を成す他の１つの仮想直線（１３５度方向の仮想直線）が交差する第１基材１の２つの縁ｄ１，ｄ２のうち、一方側の縁ｄ１を含む部分であり、１３５度方向第２側の縁部Ｗ２は、反対側の縁ｄ２を含む部分である。
前記それぞれの仮想直線が交差する、第１基材１の縁ａ１乃至ｄ２は、概念上、それぞれ点であり、それぞれの縁を含む部分は、概念上、その縁（点）を必ず含み、その縁を含んで第１基材１の表面に拡がる部分的な領域である。
前記横方向第１側の縁部Ｘ１、横方向第２側の縁部Ｘ２、縦方向第１側の縁部Ｙ１、縦方向第２側の縁部Ｙ２、４５度方向第１側の縁部Ｚ１、４５度方向第２側の縁部Ｚ２、１３５度方向第１側の縁部Ｗ１、及び、１３５度方向第２側の縁部Ｗ２は、互いに交わることがなく、概念上それぞれ独立している。
【００２７】
図示例では、第２基材２には、第１基材１の４５度方向第１側の縁部Ｚ１、４５度方向第２側の縁部Ｚ２、１３５度方向第１側の縁部Ｗ１、及び、１３５度方向第２側の縁部Ｗ２において、第１基材１の縁よりも内側に凹んだ４つの縁ｅ１，ｅ２，ｅ３，ｅ４が形成されている。この第２基材２の４つの縁ｅ１，ｅ２，ｅ３，ｅ４は、平面視略Ｌ字状に形成されている。従って、図示例では、第１基材１の４５度方向第１側の縁部Ｚ１、４５度方向第２側の縁部Ｚ２、１３５度方向第１側の縁部Ｗ１、及び、１３５度方向第２側の縁部Ｗ２が、いずれも１層部分であり、これらの縁部Ｚ１，Ｚ２，Ｗ１，Ｗ２は、平面視略三角形状とされている。
ここで、キャンペーンラベルＡの２層部分の横方向長さは、第１基材１の重心Ｏを通る１つの仮想直線が交差する２つの縁ａ１，ａ２の間において最大とされている。また、キャンペーンラベルＡの２層部分の横方向長さは、横方向の仮想直線と直交するもう１つの仮想直線が交差する縁ｂ１又は縁ｂ２に向かうに従って徐々に小さくなっている。
【００２８】
第２基材２の裏面には、第１基材１に貼り付けるための粘着剤層３２が積層されている。以下、第２基材２を第１基材１に貼り付けるための粘着剤層を「第２粘着剤層３２」という。第２粘着剤層３２は、第２基材２の裏面に、感圧型粘着剤、感熱性粘着剤などの粘着剤を設けることによって形成される。第２粘着剤層３２を形成する粘着剤は、透明、半透明又は非透明の何れでもよいが、第２基材２にキャンペーン表示が施される場合には、その表示を第２基材２の裏面側から視認できるようにするため、第２粘着剤層３２は、透明又は半透明なものが用いられる。
第２粘着剤層３２は、第２基材２の裏面全体に亘って設けられていればよく、例えば、図示のように粘着剤が面方向に連続して層を成している構成の他、第２基材２の裏面の粘着剤が無数の小さなドット状を成して密に点在されている構成でもよい。
第２基材２の裏面に上記各種の表示を表した印刷層が設けられる場合には、第２粘着剤層３２は、その印刷層の裏面に設けられる。換言すると、第２粘着剤層３２は、第２基材２の最裏面に設けられる。
第２粘着剤層３２の厚みは、特に限定されないが、例えば、１０μｍ〜３０μｍである。
第１基材１の表面には、剥離層３３が設けられているので、第２粘着剤層３２を介して剥離層３３上に積層された第２基材２は、第１基材１に対して剥離可能に接着されている。なお、剥離可能とは、人力で引き剥がすことができることをいう。
【００２９】
＜ラベル連続体＞
上記キャンペーンラベルＡは、１枚ずつの形態で提供されてもよいが、通常、その複数枚をセパレーター５上に貼付したラベル連続体Ｂの形態で提供される。
図７及び図８は、ラベル連続体Ｂを示す。
ラベル連続体Ｂは、上記キャンペーンラベルＡと、離型面を有するセパレーター５と、を有する。
セパレーター５は、平面視帯状（細長い長方形状）である。セパレーター５の表面は、離型面とされている。離型面は、セパレーター５を構成する基材の表面に積層された剥離層の表面から構成される。剥離層（図示せず）は、上記キャンペーンラベルＡで例示したような剥離剤をセパレーター基材の表面に塗布することによって形成される。セパレーター基材は、柔軟なシート材から形成され、例えば、上述のような紙、合成紙、合成樹脂フィルムなどを用いることができる。
【００３０】
キャンペーンラベルＡは、第１粘着剤層３１（図７及び図８において不図示）の裏面を剥離面に剥離可能に貼付されている。キャンペーンラベルＡは、その複数がセパレーター５の長手方向に間隔を開けて並んで貼付されている。なお、間隔を開けて貼付される場合に限られず、隣り合うキャンペーンラベルＡの縁同士が接するようにして、複数のキャンペーンラベルＡが貼付されていてもよい（図示せず）。
また、図示例では、複数のキャンペーンラベルＡは、セパレーター５の短手方向において１列で長手方向に並んで貼付されているが、セパレーター５の短手方向において２例以上で且つそれぞれの列で長手方向に並んで貼付されていてもよい（図示せず）。
キャンペーンラベルＡの向きは、特に限定されないが、横方向又は縦方向をセパレーター５の長手方向と略平行にして貼付することが好ましい。図示例では、第１基材１の横方向をセパレーター５の長手方向と略平行にして、セパレーター５の離型面に複数のキャンペーンラベルＡが並んで貼付されている。
なお、図７に示すように、ラベル連続体Ｂは、通常、ロール状に巻き取った状態で保管・運搬に供され、使用時に、その長手方向に引き出される。
【００３１】
＜キャンペーンラベル及びラベル連続体の製法＞
上記キャンペーンラベルＡ及びラベル連続体Ｂは、例えば、次のようにして製造できる。
図９（ａ）に示すように、セパレーター５の離型面上に、第１基材原反１１と第２基材原反２１を積層した、帯状積層体６を準備する。なお、印刷層、粘着剤層、剥離層等は、図示しない。
第１基材原反１１及び第２基材原反２１は、セパレーター５と略同じ平面視帯状に形成されている。第１基材原反１１の裏面には、上述の第１粘着剤層３１が設けられ、第１基材原反１１の表面には、剥離層３３が設けられている。第２基材原反２１の裏面には、上述の第２粘着剤層３２が設けられている。従って、第１基材原反１１は、セパレーター５上に剥離可能に貼付されており、第２基材原反２１は、第１基材原反１１上に剥離可能に貼付されている。
また、第１基材原反１１及び第２基材原反２１は、キャンペーンラベルＡの第１基材１及び第２基材２の形成材料である。第１基材原反１１及び第２基材原反２１には、１つのキャンペーンラベルＡに対応した各種の表示が、その長手方向に所定間隔を開けて繰り返し印刷されている。
【００３２】
次に、同図（ｂ）に示すように、前記帯状積層体６のうち、第２基材原反２１のみに第１切込み線７１を形成する。この第１切込み線７１は、第２基材原反２１の表裏面に貫通する切り目であり、その第１切込み線７１において第２基材原反２１は分断される。第１切込み線７１は、長手方向に所定間隔を開けて複数形成される。
各第１切込み線７１は、上記第２基材２の４つの縁ｅ１，ｅ２，ｅ３，ｅ４と同じ形状（例えば、略Ｌ字状）の４つの縁取り切り目７１１と、その縁取り切り目７１１の外端部から外側に延びる延長切り目７１２と、を有する。第１切込み線７１は、隣り合う延長切り目７１２の外端部同士が連結されて形成されることによって、閉鎖環状を成している。
【００３３】
同図（ｃ）に示すように、前記第１切込み線７１で囲われた領域２８（以下、第２基材原反２１のうち、切込み線で囲われた領域を「内側領域２８」という）を除いて、第２基材原反２１を第１基材原反１１から剥離し、除去する。なお、同図（ｂ）において、第２基材原反２１のうち除去する領域に、網掛けを付している。
【００３４】
次に、図１０（ａ）に示すように、第１基材原反１１上に残存した内側領域２８と、第１基材原反１１とに、上記第１基材１の周縁形状と同じ形状（例えば、略円形状）の第２切込み線７２を形成する。この第２切込み線７２は、第１切込み線７１の全ての縁取り切り目７１１の外端部に交差するように形成される。従って、内側領域２８は、延長切り目７１２と第２切込み線７２で囲われた領域２９と、それ以外の領域と、に分割される。
同図（ａ）において、内側領域２８のうち、延長切り目７１２と第２切込み線７２で囲われた領域２９に網掛けを付している。
【００３５】
最後に、同図（ｂ）に示すように、前記第２切込み線７２で囲われた領域を除いて、第１基材原反１１をセパレーター５から剥離し、除去する。
第１基材原反１１のうち除去する領域上には、内側領域２８のうち延長切り目７１２と第２切込み線７２で囲われた領域２９が貼付されているので、その領域２９も第１基材原反１１の除去と共に除去される。
このようにして図８に示すような、セパレーター５上に複数のキャンペーンラベルＡが貼付されたラベル連続体Ｂが得られる。
【００３６】
＜キャンペーンラベルの使用＞
上記キャンペーンラベルＡは、被着体の被着面に貼り付けて使用される。
被着体は、キャンペーンラベルＡを貼り付ける対象となる物をいい、被着面は、キャンペーンラベルＡが貼り付けられる面をいう。
被着体は、特に限定されず、カップ型容器、飲料などが収納されたボトル型容器、化粧品などが収納された容器、調味料や食品などが収納された容器などの各種容器が代表的に例示される。もっとも、被着体は、内容物が収納される容器に限られず、機械部品などの商品そのものであってもよい。
被着体の被着面は、平面状でもよく、角面状でもよく、或いは、曲面状でもよい。また、被着面には、視覚及び触覚で確認できないほどの微細な凹凸を有していてもよく、視覚で確認できないが触覚で確認できるほどの小さな凹凸を有していてもよく、或いは、視覚及び触覚で確認できる大きな凹凸を有していてもよい。
【００３７】
キャンペーンラベルＡの被着体への貼付は、人力で行ってもよいが、連続的に効率よく貼り付けることができることから、機械的に行うことが好ましい。
機械的に行う場合、ラベリング装置（ラベルを被着体に貼付する装置）が用いられる。
例えば、本発明のラベル連続体Ｂをラベリング装置に装填し、前記ラベル連続体Ｂを長手方向に送り、その途中でラベリング装置のピール部にて、前記ラベル連続体Ｂのセパレーター５をその裏面に対して傾斜するように曲げることにより、セパレーター５の表面からキャンペーンラベルＡを剥離し、そのキャンペーンラベルＡを順次送られてくる被着体に貼付する。
具体的には、図１１に示すように、ラベル連続体Ｂの長手方向の第１側（キャンペーンラベルＡの横方向第１側）を先頭にして、ラベル連続体Ｂを長手方向に搬送する。上記のようにロールに巻かれたラベル連続体Ｂを引き出し、長手方向の第１側を先頭にしてラベリング装置のラインの下流側にラベル連続体Ｂを搬送する。
【００３８】
ラベル連続体Ｂは、ラベリング装置のピール部８に送られる。ピール部８は、ラベル連続体Ｂの搬送途中に配置されている。
ピール部８は、例えば、側面視三角形状に形成された板状体である。ピール部８の表面は、平坦状であり、ピール部８の先端部８ａは、尖っていてもよいが、図示のように弧状に形成されていることが好ましい。
ラベル連続体Ｂは、そのセパレーター５の裏面をピール部８の表面に対面させて、ピール部８の表面上に沿って搬送され、ピール部８の先端部８ａにおいて、セパレーター５のみがピール部８の裏面側へと引き取られる。セパレーター５は、ピール部８の先端部８ａの角度に従い、セパレーター５の裏面に対して傾斜するように曲げられる。
セパレーター５がピール部８の先端部８ａにおいて曲げられると、セパレーター５上に貼付されていたキャンペーンラベルＡの縁部がセパレーター５から剥離し、さらに、キャンペーンラベルＡの全体がセパレーター５から剥離する。
特に、キャンペーンラベルＡは横方向第１側の縁部Ｘ１が２層部分とされているので、その部分において剛性が大きく、セパレーター５がピール部８で曲げられた際に、キャンペーンラベルＡがセパレーター５の曲がりに追従し難く、キャンペーンラベルＡが確実にセパレーター５から剥離するようになる。
なお、キャンペーンラベルＡを剥離した後のセパレーター５は、回収ロール（図示せず）に巻き取られる。
【００３９】
剥離されたキャンペーンラベルＡを、第１粘着剤層３１を介して被着体の被着面に貼り付けることにより、図１２及び図１３に示すような包装体Ｃが得られる。なお、キャンペーンラベルＡは、横方向第１側の縁部Ｘ１などの２層部分が、最初に被着体に接触するようにして貼付することが好ましい。
この包装体Ｃは、胴部９１及びキャップ部９２を有する容器９（被着体）と、その容器９の胴部９１に第１粘着剤層３１を介して貼付されたキャンペーンラベルＡと、を有する。その胴部９１は、曲面を有し、キャンペーンラベルＡは、その曲面に貼付されている。
キャンペーンラベルＡの曲面に対する貼付向きは、特に限定されない。例えば、図示例のように、キャンペーンラベルＡの横方向が曲面の周方向となるように貼付してもよく、特に図示しないが、キャンペーンラベルＡの縦方向、４５度方向又は１３５度方向が曲面の周方向となるように貼付してもよい。
【００４０】
本発明のキャンペーンラベルＡは、第１基材１の４５度方向第１側の縁部Ｚ１、４５度方向第２側の縁部Ｚ２、１３５度方向第１側の縁部Ｗ１、及び、１３５度方向第２側の縁部Ｗ２が、１層部分とされ、それらの縁部において剛性が小さく柔らかいので、被着体に貼り付けた後、経時的にラベルの縁から剥がれることを効果的に防止できる。
また、キャンペーンラベルＡは、横方向第１側の縁部Ｘ１及び横方向第２側の縁部Ｘ２が２層部分とされ、その縁部において剛性が大きいので、上述のように、セパレーター５から確実に剥離でき、また、被着体にキャンペーンラベルＡを貼付する際に皺などが発生することを防止でき、被着体に綺麗に貼り付けることができる。
【００４１】
本発明は、上記第１実施形態に限られず、適宜設計変更することができる。以下、本発明の他の実施形態を説明するが、上記第１実施形態と同様の構成については、説明を省略し、用語及び符号を援用する場合がある。
【００４２】
［第２実施形態］
上記第１実施形態では、第２基材２の全体が第１基材１に対して剥離可能に接着されているが、第２基材２の一部分において第１基材１に対して強く接着されていてもよい。
例えば、図１４及び図１５に示すように、第２基材２が、横方向第１側の縁部Ｘ１の一部分２７及び横方向第２側の縁部Ｘ２の一部分２７において、第１基材１に対して強く接着されていてもよい。図１４において、強く接着された部分２７を判り易く図示するため、その部分に密な縦線を付加している。
【００４３】
このように部分的に強く接着する方法としては、図１５に示すように、剥離層３３の一部分に無処理部を設けることが挙げられる。無処理部は、剥離層を形成しない部分であり、かかる無処理部において、第２粘着剤層３２が第１基材１の表面に直接接着するので、その部分２７において強く接着するようになる。
このように比較的小さな部分２７において第２基材２を第１基材１に対して強く接着することにより、キャンペーンラベルＡの保管・運搬中などに、第２基材２が不用意に捲れることを防止できる。なお、前記強く接着された部分２７は、比較的小さいので、消費者が、キャンペーン表示を目視するために第２基材２を捲ることに支障を来すことはない。
また、例えば、第１基材１の縦方向第１側の縁部Ｙ１に無処理部を設け、縦方向第２側の縁部Ｙ２側から第２基材２を見開き可能としてもよい。
【００４４】
［第３実施形態］
上記第１実施形態において、第１基材１の４５度方向第１側の縁部Ｚ１、４５度方向第２側の縁部Ｚ２、１３５度方向第１側の縁部Ｗ１、及び、１３５度方向第２側の縁部Ｗ２が、１層部分とされているが、これ以外に、縦方向第１側の縁部Ｙ１も１層部分とされていてもよく、或いは、縦方向第１側の縁部Ｙ１及び縦方向第２側の縁部Ｙ２も１層部分とされていてもよい。
【００４５】
［第４実施形態］
上記第１実施形態では、第１基材１の最表面に剥離層を設け且つ第２基材２の最裏面に第２粘着剤層３２を設けることによって、第２基材２が第１基材１に対して剥離可能に積層されているが、例えば、第１基材１の最表面に第２粘着剤層３２を設け且つ第２基材２の最裏面に剥離層を設けてもよく、この場合も同様に第２基材２を剥離可能に積層できる。
【符号の説明】
【００４６】
Ａ  キャンペーンラベル
Ｂ  ラベル連続体
１  第１基材
２  第２基材
Ｘ１  横方向第１側の縁部
Ｘ２  横方向第２側の縁部
Ｙ１  縦方向第１側の縁部
Ｙ２  縦方向第２側の縁部
Ｚ１  ４５度方向第１側の縁部
Ｚ２  ４５度方向第２側の縁部
Ｗ１  １３５度方向第１側の縁部
Ｗ２  １３５度方向第２側の縁部
５  セパレーター
【図１】
0006629655.tif 000002
【図２】
0006629655.tif 000003
【図３】
0006629655.tif 000004
【図４】
0006629655.tif 000005
【図５】
0006629655.tif 000006
【図６】
0006629655.tif 000007
【図７】
0006629655.tif 000008
【図８】
0006629655.tif 000009
【図９】
0006629655.tif 000010
【図１０】
0006629655.tif 000011
【図１１】
0006629655.tif 000012
【図１２】
0006629655.tif 000013
【図１３】
0006629655.tif 000014
【図１４】
0006629655.tif 000015
【図１５】
0006629655.tif 000016